(57)【要約】【課題】  発光部の長さや発光部による形状が所望に設定されるとともに所定量の照明光が得られる照明器具を提供する。【解決手段】  照明器具１は、端面３ｃから入射した光を外周面３ｅから出射する線状の導光体３と、内部に半導体発光素子１９および半導体発光素子１９を点灯する点灯装置９が配設された筐体５、筐体５の一端側５ａに半導体発光素子１９の放射光が出射する開口部６および筐体５の他端側５ｂに点灯装置９に給電する給電部７を有してなり、開口部６に半導体発光素子１９の放射光が端面３ｃに入射するように導光体３が着脱可能に取り付けられたランプ２と、ランプ２の給電部７が取り付けられるソケット３８を有する器具本体４と、を具備している。【選択図】図１
2014102944.tif 000002
【特許請求の範囲】
【請求項１】
端面から入射した光を外周面から出射する線状の導光体と；
内部に半導体発光素子およびこの半導体発光素子を点灯する点灯装置が配設された筐体、この筐体の一端側に前記半導体発光素子の放射光が出射する開口部および前記筐体の他端側に前記点灯装置に給電する給電部を有してなり、前記開口部に前記半導体発光素子の放射光が端面に入射するように着脱可能に前記導光体が取り付けられたランプと；
このランプの給電部が取り付けられるソケットを有する器具本体と；
を具備していることを特徴とする照明器具。
【請求項２】
端面から入射した光を外周面から出射する線状の導光体と；
内部に半導体発光素子およびこの半導体発光素子を点灯する点灯装置が配設された筐体、この筐体の一端側に前記半導体発光素子の放射光が出射する開口部および前記筐体の他端側に前記点灯装置に給電する給電部を有するランプと；
このランプの給電部が取り付けられるソケットおよび前記導光体が配設される器具本体と；
この器具本体に設けられ、前記ランプの開口部に前記導光体の端面が近接または面するように前記導光体を前記器具本体に着脱可能に取り付ける取付手段と；
を具備していることを特徴とする照明器具。
【発明の詳細な説明】
【技術分野】
【０００１】
本発明の実施形態は、口金付きのランプおよびこのランプの放射光を導光する導光体を具備する照明器具に関する。
【背景技術】
【０００２】
ＬＥＤから放射された光を導光体により導光して、照明領域を照明する照明装置が知られている。例えば、細長い板状の基材と、この基材の一面側に取り付けられた細長い基板と、この基板上に実装されたＬＥＤと、これらを囲んで設けられたほぼ円筒状の導光体とを備えた照明装置が提案されている（特許文献１参照。）。この照明装置は、ＬＥＤが線状に配置されるものであり、直線状あるいは環状の立体形状に形成されている。そして、当該照明装置によれば、線状に配置された複数のＬＥＤからの光は、導光体内を導光するうちに照明装置の長手方向に広がるため、ＬＥＤ特有の粒々状の高輝度ムラを緩和し、全長に亘って均一な輝度とすることができ、また、導光体の形状等によって広配光から狭配光まで照射光分布を容易に制御できるというものである。
【０００３】
また、ＬＥＤ等の光源からの光をチューブ状発光体に導光し、チューブ状発光体を発光させる照明装置（視線誘導灯）が提案されている（特許文献２参照。）。この照明装置は、光源とチューブ状発光体との間に色フィルターが設けられており、チューブ状発光体の発光色を変えることができる。
【先行技術文献】
【特許文献】
【０００４】
【特許文献１】特開２０１２−１９５１５１号公報（第４〜５頁、第１〜２図）
【特許文献２】特開平８−２２１６９１号公報（第３〜４頁、第１図）
【発明の概要】
【発明が解決しようとする課題】
【０００５】
特許文献１のように、導光体がＬＥＤを実装した基板等を囲む構成の照明装置は、導光体の全長や導光体による形状が基板に応じたものに限定されるという欠点を有する。そして、特許文献２のように、光源からの光を色フィルターを介して単にチューブ状発光体に導光させる構成の照明装置は、光源からの光がチューブ状発光体に効率的に入射しなく、チューブ状発光体の発光が照明光として不十分な光量となるという欠点を有する。
【０００６】
本実施形態は、発光部の長さ、発光部による形状や空間領域の大きさが所望に設定されるとともに所定量の照明光が得られる照明器具を提供することを目的とする。
【課題を解決するための手段】
【０００７】
本実施形態の照明器具は、導光体、ランプおよび器具本体を有して構成される。
【０００８】
導光体は、線状のものであり、端面から入射した光を外周面から出射するものである。
【０００９】
ランプは、筐体の内部に半導体発光素子と、この半導体発光素子を点灯する点灯装置とを配設している。そして、筐体は、その一端側に半導体発光素子の放射光が出射する開口部、その他端側に点灯装置に給電する給電部を有している。開口部には、半導体発光素子の放射光が端面に入射するように導光体が取り付けられている。
【００１０】
器具本体は、ランプの給電部が取り付けられるソケットを有している。
【発明の効果】
【００１１】
本実施形態によれば、導光体は、ランプの筐体の開口部に半導体発光素子の放射光が端面に入射するように取り付けられるので、半導体発光素子の放射光が効率的に導光体に入射して、導光体から所定量の照明光が出射可能となるとともに、導光体の長さや導光体による形状や空間領域の大きさを所望に設定することができる多様な照明器具を提供することができる。
【図面の簡単な説明】
【００１２】
【図１】本発明の第１の実施形態を示す照明器具の一部切り欠き概略側断面図である。
【図２】同上、ランプの概略縦断面図である。
【図３】本発明の第２の実施形態を示す照明器具のカバーを透視した一部切欠き概略上面図である。
【図４】同上、照明器具を示し、（ａ）は一部概略横断面図、（ｂ）は概略縦断面図である。
【発明を実施するための形態】
【００１３】
以下、本発明の一実施の形態について、図面を参照して説明する。まず、本発明の第１の実施形態について説明する。
【００１４】
本実施形態の照明器具１は、天井に吊り下げられるペンダント形照明器具であり、図１に示すように、ランプ２、導光体３および器具本体４を有して構成されている。
【００１５】
ランプ２は、図２に示すように、筐体５、この筐体５の一端側５ａに開口部６および他端側５ｂに給電部７を有してなり、筐体５内に発光体８および点灯装置９を配設している。
【００１６】
筐体５は、本実施形態においては、高熱伝導率を有する金属材料例えばアルミニウム（Ａｌ）からなる外ケース１０と、電気絶縁性および高熱伝導性を有する合成樹脂、例えばポリブチレンテレフタレート（ＰＢＴ）樹脂からなる取付け体１１とから形成されている。筐体５は、一端側５ａに外ケース１０の円筒部１２を有して、全体として、一端側５ａから他端側５ｂに緩やかに径大する略逆円錐台の筒状に形成されている。そして、外ケース１０は、その円筒部１２の内側に円柱状の開口部６が形成されているとともに、内側に突出するダボ１３が設けられている。このダボ１３は、周回方向に１２０゜間隔で３個が形成されている。また、外レース１０の一端側５ａの内面１０ｅには、嵌合凹部１４が周回方向に等間隔で複数個形成されている。開口部６には、互いに正対する位置に、それぞれ半球状の一対の凸部１５，１５が設けられている。外ケース１０は、アルミダイキャストにより、上述のように成型されている。
【００１７】
そして、開口部６の底面６ａに放熱板１６が載せられている。底面６ａは、ダボ１３と同一面となっている。放熱板１６は、ねじ１７により、ダボ１３に固定されている。そして、放熱板１６に、発光体８が取り付けられている。
【００１８】
発光体８は、実装基板１８および半導体発光素子としての複数個のＬＥＤ素子１９を有して形成されている。実装基板１８は、例えば厚さ１．２ｍｍの合成樹脂板例えばガラスエポキシ板からなり、外形が例えば正四角形に形成されている。ＬＥＤ素子１９は、パッケージ品であり、例えば白色光を放射するものが用いられている。複数個のＬＥＤ素子１９は、実装基板１８の一面１８ａ側に同心円状に実装され、図示しない配線パターンにより直列接続されている。直列接続されたＬＥＤ素子１９は、実装基板１８の一面１８ａ側に設けられたコネクタ２０に接続されている。そして、コネクタ２０に電気接続された出力線２１により、点灯装置９に接続されている。ＬＥＤ素子１９は、点灯装置９から所定の定電流が供給されると、点灯（発光）し、白色光を放射する。この放射光は、開口部６から出射される。
【００１９】
そして、外ケース１０内には、取付け体１１が挿入されて取り付けられている。取付け体１１は、一端側１１ａが外ケース１０の内面１０ｅに密接する外形形状の筒状に形成され、他端側１１ｂが略円筒状に形成されている。取付け体１１は、その一端側１１ａに設けた嵌合爪２２が外ケース１０の嵌合凹部１４に係止して外ケース１０に取り付けられている。嵌合爪２２は、周回方向に等間隔に嵌合凹部１４と同数が設けられている。
【００２０】
そして、取付け体１１は、その他端側１１ｂ（筐体５の他端側５ｂ）の外面に凸条２３が螺旋状に形成されていて、この凸条２３にＥ形口金である給電部７が螺合されている。給電部７は、取付け体１１の他端側１１ｂの外面にかしめられて固定されている。
【００２１】
給電部７は、例えばＥ１７形であり、凸条２３に螺合されてかしめられて固定される雄ねじ部２４、この雄ねじ部２４の先端側２４ａに設けられる絶縁部２５およびこの絶縁部２５の頂点に設けられる頂上接続部２６を有して構成されている。
【００２２】
雄ねじ部２４は、例えばアルミニウム（Ａｌ）からなり、底部２４ｂを有する略円筒状に形成され、頂上接続部２６は、例えば真鍮からなり、凸形の外面２６ａを有する略円柱状に形成されている。絶縁部２５は、例えばガラスまたはセラミックからなり、円錐状に形成されて、雄ねじ部２４の底部２４ｂに接着されて取り付けられ、頂点に頂上接続部２６を設けている。
【００２３】
雄ねじ部２４および頂上接続部２６は、後述するソケット３８を介して外部電源にそれぞれ電気接続される。絶縁部２５は、それぞれ金属である雄ねじ部２４および頂上接続部２６を離間して電気絶縁している。そして、給電部７と、金属である外ケース１０とは、取付け体１１の外周面１１ｆにより絶縁されている。こうして、給電部７は、取付け体１１に雄ねじ部２４が取り付けられることにより、筐体５の他端側５ｂに取り付けられている。
【００２４】
なお、外ケース１０は、高熱伝導率を有する例えばアルミニウム（Ａｌ）により形成されることにより、発光体８に発生した熱を迅速に伝熱して、外面１０ｆから放出させる。したがって、外ケース１０が高熱伝導率かつ電気絶縁性を有する合成樹脂やセラミックで形成されるものであれば、取付け体１１を外ケース１０と一体に成形して筐体５を形成してもよい。
【００２５】
そして、給電部７は、点灯装置９に接続されている。点灯装置９は、回路基板２７、この回路基板２７に実装された多種類の回路部品２８および電流ヒューズ２９を備えて形成されている。
【００２６】
回路基板２７は、ガラスエポキシ材などの合成樹脂板からなり、取付け体１１の一端側１１ａから他端側１１ｂに亘る長形に形成されている。取付け体１１の内面１１ｃには、一端側１１ａから他端側１１ｂに亘って、互いに正対する一対の基板取付け溝３０，３０（図２中、一方のみを示す。）が直線状に設けられている。この一対の基板取付け溝３０，３０に回路基板２７の幅方向の両端部が圧入されて取り付けられている。
【００２７】
そして、回路基板２７は、一端側２７ａに出力用のコネクタ３１を配設し、他端側２７ｂに一対の入力端子３２，３２（図２中、一方のみを示す。）が設けられている。コネクタ３１に出力線２１の一方のコネクタ３３が装着され、発光体８のコネクタ２０に出力線２１の他方のコネクタ３４が装着されている。放熱板１６には、出力線２１を通す切り欠き部３５が設けられている。
【００２８】
一方の入力端子３２は、電流ヒューズ２９により給電部７の頂上接続部２６に接続され、他方の入力端子３２は、リード線３６により給電部７の雄ねじ部２４に接続されている。そして、回路部品２８は、発光体８のＬＥＤ素子１９を点灯する不図示の点灯回路を形成している。点灯回路は、給電部７の雄ねじ部２４および頂上接続部２６に印加される外部電源の交流電圧を直流電圧に変換し、発光体８のＬＥＤ素子１９に定電流を供給するように形成されている。こうして、筐体５の他端側５ｂに設けられた給電部７は、外部電源を点灯装置９に給電する。
【００２９】
そして、筐体５の開口部６には、導光体３が取り付けられている。この導光体３は、例えば無着色のアクリル樹脂からなり、線状であり、断面円形の棒状に形成されているとともに、開口部６に嵌合可能に、開口部６とほぼ同等の外径を有するように形成されている。そして、導光体３の一端側３ａの外周面３ｅには、開口部６の一対の凸部１５，１５と嵌合する嵌合凹部３７，３７が形成されている。嵌合凹部３７，３７は、図示しないが、それぞれ端面３ｃからＬ形に形成され、互いに１８０°回転対称に設けられている。
【００３０】
導光体３は、その嵌合凹部３７，３７が開口部６の凸部１５，１５に嵌合するように開口部６に嵌め込まれる。そして、導光体３は、凸部１５，１５が嵌合凹部３７，３７に沿うように、さらに開口部６に嵌め込まれた後に右回りに回転される。これにより、導光体３は、Ｌ形の嵌合凹部３７，３７が凸部１５，１５に係止して開口部６に取り付けられる。このとき、導光体３の端面３ｃは、発光体８に正対し、ＬＥＤ素子１９の放射光を入射可能となっている。
【００３１】
なお、導光体３の開口部６への取付けは、上記に限らず、導光体３および開口部６にそれぞれねじ部および被ねじ部を形成して、開口部６に導光体３をねじ込んで取り付けてもよく、円筒部１２にねじの通孔および導光体３にねじ孔を形成して、ねじにより取り付けてもよく、また、開口部６に導光体３を嵌め込んだ後に接着剤で取り付けるなどしてもよい。
【００３２】
そして、導光体３は、図１に示すように、一端側３ａから他端側３ｂに略円環状に形成されている。導光体３は、一端側３ａの端面３ｃから入射したランプ２の放射光を他端側３ｂの端面３ｄおよび外周面３ｅの全域から出射する。
【００３３】
ランプ２は、その給電部７が器具本体４に設けられたソケット３８に取り付けられている。器具本体４は、略皿状のセード受け部３９、円盤状のソケット取付板４０およびセード４１を有して形成されている。セード受け部３９およびソケット取付板４０は、例えば鋼板からなり、セード４１は、例えばアクリル樹脂からなっている。
【００３４】
ソケット３８は、例えば磁器からなり、ソケット取付板４０に不図示のねじにより取り付けられている。そして、ソケット取付板４０は、セード４１の略円筒状の取付部４１ａをセード受け部３９との間で挟み込むようにして、セード受け部３９に不図示のねじにより取り付けられている。セード４１は、略半放物体に形成され、その内面４１ｂが例えば乳白に形成されている。また、セード４１は、導光体３を収容し、開口４１ｃから導光体３が突出しない大きさに形成されている。
【００３５】
そして、器具本体４は、先端に引掛シーリングキャップ４２を有する電源コード４３を接続している。引掛シーリングキャップ４２は、天井４４に配設されている引掛シーリングボディ４５に取り付けられている。これにより、電源コード４３等を介してソケット３８に外部電源が供給される。引掛シーリングキャップ４２および引掛シーリングボディ４５は、シーリングカバー４６により覆われている。そして、ランプ２は、図示しない壁スイッチのオンオフ操作に応じて点消灯される。
【００３６】
次に、第１の実施形態の作用について説明する。
【００３７】
ランプ２は、その開口部６に導光体３を取り付けた状態で、給電部７が器具本体４のソケット３８にねじ込まれて取り付けられる。そして、壁スイッチがオン操作されると、外部電源が電源コード４３等を介してソケット３８に給電される。
【００３８】
ランプ２は、その給電部７がソケット３８から外部電源を入力する。外部電源は、点灯装置９に入力される。点灯装置９は、動作して、発光体８に定電流を供給する。これにより、発光体８の複数個のＬＥＤ素子１９が点灯し、ＬＥＤ素子１９から白色光が放射される。
【００３９】
ＬＥＤ素子１９から放射された白色光は、導光体３の端面３ｃから導光体３内に入射する。ここで、導光体３は、その端面３ｃが発光体８に正対するように、ランプ２の開口部６に嵌め込まれて取り付けられているので、複数個のＬＥＤ素子１９から放射された白色光のほぼ全光量が導光体３に入射する。入射光は、導光体３の一端側３ａから他端側３ｂに伝播しながら、外周面３ｅから外方に出射していく。他端側３ｂの端面３ｄ側に伝播した光は、端面３ｄから出射される。これにより、導光体３は、一端側３ａから他端側３ｂに亘って発光し、ランプ２の放射光を放射する発光部となっている。
【００４０】
導光体３から出射された光は、直接光およびセード４１の内面４１ｂ側で反射された反射光となってセード４１の開口４１ｃから出射され、床面側の空間を照明する。導光体３は、円環の形状に形成されているので、略面状に発光し、広配光で床面側を照明する。そして、導光体３には、ランプ２の放射光のほぼ全量が入射されるので、導光体３から所定量の照明光が出射される。
【００４１】
そして、導光体３は、本実施形態では、ランプ２の開口部６に着脱可能に取り付けられているので、ランプ２が寿命となった場合には、新品のランプ２に現今の導光体３を取り付けることができる。これにより、照明器具１のランニングコストの低減が可能となる。
【００４２】
また、導光体３は、その長さに応じた円環状に形成できる。すなわち、導光体３を大小の円環や外径の異なる円環に形成することができて、これにより、導光体３から狭配光から広配光までの所望の配光の照明光を得ることが可能である。
【００４３】
また、導光体３は、円環状に限らず、様々な形状に形成できる。例えば、四角形や六角形等の多角形や蛇行形の形状、あるいは螺旋状などの立体形状に形成することができる。これにより、導光体３から多様な配光の照明光を得ることが可能である。
【００４４】
本実施形態の照明器具１によれば、導光体３は、ランプ２の筐体５の開口部６に、発光体８のＬＥＤ素子１９の放射光が端面３ｃに入射するように取り付けられるので、ＬＥＤ素子１９の放射光が効率的に導光体３に入射して、導光体３から所定量の照明光が出射可能となるとともに、導光体３の長さや導光体３による形状や空間領域の大きさを所望に設定することができる多様な照明器具を提供できるという効果を有する。
【００４５】
なお、本実施形態において、ＬＥＤ素子１９は、白色光を放射し、導光体３は、無着色のものを用いたが、これに限らず、ＬＥＤ素子１９は、青色光を放射し、導光体３は、黄色に着色されたものを用いてもよい。導光体３に入射した青色光は、黄色の導光体３により白色光に変換されて導光体３から外方に出射される。青色光は、導光体３の外周面３ｅでの屈折が大きいので、一端側３ａから他端側３ｂに伝播しやすい。すなわち、導光体３の長さをより長くすることができ、これにより、導光体３の空間領域（発光領域）を大きくすることができ、器具本体４が大形化される照明器具１を提供することができる。
【００４６】
また、ランプ２は、その給電部７がＥ形口金に限らず、ＧＸ５３、ＧＸ１６、ＧＸ１３などのＧＸ形口金やピン形口金に形成されるものであってもよい。また、給電部７は、コネクタ構造に形成されたものであってもよい。
【００４７】
また、筐体５の外ケース１０は、金属に限らず、熱伝導性の良好な合成樹脂またはセラミックなどで形成されてもよい。
【００４８】
次に、本発明の第２の実施形態について説明する。
【００４９】
本実施形態の照明器具５１は、例えば壁面に取り付けられる直付け形照明器具であり、図３に示すように構成される。なお、図３において、図１と同一部分には同一符号を付して説明は省略する。
【００５０】
照明器具５１は、導光体５２、図２に示すランプ２、器具本体５３および取付手段としての複数個の取付具５４を有して形成されている。また、本実施形態の照明器具５１は、器具本体５２の開口５５を塞ぐカバー５６を具備している。
【００５１】
導光体５３は、例えば無着色のアクリル樹脂からなり、所定の長さを有する長形の円柱に形成されている。また、導光体５３は、ランプ２の円筒部１２よりも大きい外径を有するように形成されている。
【００５２】
ランプ２が着脱されるソケット３８は、複数個のねじ５７により、略灰皿状の取付台５８に取り付けられている。この取付台５８は、例えば鋼板からなり、その固定部５８ａが器具本体５３の一方の側板５３ｃの内面側に例えば溶接により取り付けられている。取付台５８は、ランプ２の開口部６が器具本体５３の他方の側板５３ｃ側を向くように、かつランプ２が器具本体５３の底面５３ｂと平行となるように、ソケット３８を取り付けている。ソケット３８に給電する電源コード４３ａは、器具本体５３の側板５３ｃから外方に引き出されて外部電源に接続されている。
【００５３】
器具本体５３は、例えば鋼板により、長形であって、開口５５を有する有底の箱状に形成されている。その縦断面の形状は、略正方形に形成されている。器具本体５３の上面５３ａには、底面５３ｂと平行となるように、長方形の四辺から内方に所定長突出する取付部５９が形成されている。四辺の取付部５９の内側は、長方形の開口５５となっている。
【００５４】
器具本体５３は、その内部に取付台５８に取り付けられたソケット３８と、ソケット３８に取り付けられたランプ２と、取付具５４により取り付けられた導光体５２とを配設している。そして、四辺の取付部５９に、開口５５を塞ぐようにカバー５６が取り付けられている。
【００５５】
カバー５６は、例えばアクリル樹脂からなり、長方形に形成されている。そして、複数個の化粧ねじ６０により、器具本体５３の四辺の取付部５９に取り付けられている。カバー５６は、導光体５２に正対する部分５６ａが透光性を有し、ソケット３８およびランプ２に正対する部分５６ｂが不透明に形成されている。カバー５６は、ランプ２がソケット３８に取り付けられ、導光体５２が器具本体５３に取り付けられた後に、器具本体５３の取付部５９に取り付けられる。
【００５６】
取付具５４は、器具本体５３の底面５３ｂに設けられ、導光体５２の長手方向の両端側５２ａ，５２ｂを保持し、導光体５２を器具本体５３内に収納するものである。取付具５４は、図４（ｂ）に示すように、薄厚であって所定幅を有する１枚の鉄板を折曲加工して形成されている。すなわち、取付具５４は、底板部５４ａ、この底板部５４ａの両側に起立する一対の支持部５４ｂ，５４ｂおよび導光体５２の外周面５２ｅに沿う形状に形成されて導光体５２を挟み込む一対の挟持部５４ｃ，５４ｃに形成されている。
【００５７】
底板部５４は、器具本体５３の底面５３ｂに例えばスポット溶接により固定されている。一対の支持部５４ｂ，５４ｂおよび一対の挟持部６４ｃ，５４ｃは、それぞれ互いに幾分近づくように設けられ、拡開に対して復元力を有するように形成されている。
【００５８】
導光体５２は、その両端側５２ａ，５２ｂが一対の取付具５４，５４の一対の挟持部５４ｃ，５４ｃ間に押し込まれる。この押し込みに対して、一対の挟持部５４ｃ，５４ｃは、拡開し、導光体５２を挟み込む。一対の挟持部５４ｃ，５４ｃは、その復元力により導光体５２を挟持する。これにより、導光体５２は、器具本体５３内に取り付けられる。
【００５９】
また、導光体５２を例えば手で持って器具本体５３の開口５５側に持ち上げると、一対の挟持部５４ｃ，５４ｃ間が拡開し、導光体５２は、一対の挟持部５４ｃ，５４ｃから引き抜かれる。そして、一対の支持部５４ｂ，５４ｂは、器具本体５３の底面５３ｂに対する導光体５２の位置を設定し、導光体５２を底面５３ｂと平行に配置させている。こうして、一対の取付具５４，５４は、導光体５２を器具本体５３に着脱可能に取り付けている。
【００６０】
また、本実施形態では、図４（ａ）に示すように、器具本体５３の他方の側板５３ｃ側の底面５３ｂに位置規制板６１が設けられている。位置規制板６１は、薄厚であって一定幅を有する１枚の鉄板を折曲加工して形成され、固定板部６１ａおよびこの固定板部６１ａの一端側から起立する起立部６１ｂに形成されている。そして、起立部６１ｂの中間は、側板５３ｃの反対側に略弓状に凹んだ押圧部６１ｃに形成されている。
【００６１】
固定板部６１ａは、器具本体５３の底面５３ｂに例えばスポット溶接により固定されている。起立部６１ｂは、側板５３ｃ側への押圧に対して復元力を有している。
【００６２】
導光体５２は、ランプ２および位置規制板６１の起立部６１ｂ間で、一対の取付具５４，５４に取り付けられる。導光体５２は、取付具５４の一対の挟持部５４ｃ，５４ｃ間に押し込まれるときに、その端面５２ｄが起立部６１ｂの押圧部６１ｃに当接する。導光体５２は、起立部６１ｂの復元力により押圧部６１ｃから押圧されながら一対の挟持部５４ｃ，５４ｃ間に押し込まれて取り付けられる。このとき、図３に示すように、導光体５２の端面５２ｃがランプ２の開口部６に近接または面するものである。位置規制板６１は、一対の取付具５４，５４とともに、導光体５２を器具本体５３に取り付ける取付手段を形成している。
【００６３】
次に、第２の実施形態の作用について説明する
【００６４】
壁スイッチがオン操作されると、外部電源が電源コード４３ａを介してソケット３８に給電される。これにより、ランプ２の開口部６から白色光が放射される。白色光は、導光体５２の端面５２ｃから導光体５２内に入射する。
【００６５】
導光体５２は、ランプ２の円筒部１２よりも大きい外径を有するように形成されているので、開口部６から放射された白色光のほぼ全光量が導光体５２に入射する。入射光は、導光体５２の一端側５２ａから他端側５２ｂに伝播しながら、外周面５２ｅから外方に出射していく。他端側５２ｂの端面５２ｄ側に伝播した光は、端面５２ｄから出射される。これにより、導光体５２は、一端側５２ａから他端側５２ｂに亘って発光し、ランプ２の放射光を放射する発光部となっている。
【００６６】
導光体５２から出射された光は、器具本体５３の開口部５５からカバー５６を透過して出射され、床面側の空間を照明する。導光体５２は、長形の円柱の形状に形成されているので、直線状に発光して、線状の配光で床面側を照明する。そして、導光体５２には、ランプ２の放射光のほぼ全量が入射されるので、導光体５２から所定量の照明光が出射される。
【００６７】
そして、ランプ２が寿命となった場合には、カバー５６および導光体５２を器具本体５３から取り外すことにより、新品のランプ２をソケット３８に取り付けることができる。現今の導光体５２を使用できるので、照明器具５１のランニングコストの低減が可能となる。
【００６８】
本実施形態の照明器具５１によれば、導光体５２は、ランプ２の開口部６にランプ２からの放射光が端面５２ｃに入射するように設けられているので、ランプ２からの放射光が効率的に導光体５２に入射し、これにより、導光体５２から所定量の照明光を出射することができるという効果を有する。
【００６９】
なお、本実施形態において、取付台５８を介してソケット３８を取り付けている側板５３ｃを器具本体５３に着脱可能に設けるようにしてもよい。ランプ２が寿命となった場合には、側板５３ｃを取り外すことにより、ランプ交換をすることができる。
【００７０】
なお、本発明の一実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれるものである。
【符号の説明】
【００７１】
１，５１…照明器具、  ２…ランプ、  ３，５２…導光体、  ４，５３…器具本体、  ５…筐体、  ６…開口部、  ７…給電部、  ９…点灯装置、  １９…半導体発光素子としてのＬＥＤ素子、  ３８…ソケット、  ５４…取付手段としての取付具、  ６１…取付手段としての位置規制板
【図１】
2014102944.tif 000003
【図２】
2014102944.tif 000004
【図３】
2014102944.tif 000005
【図４】
2014102944.tif 000006